(57)【要約】【課題】放送波の受信用アンテナのコンバータとチューナとの間を同軸ケーブルで接続しチューナ側からコンバータに電源電圧を供給し受信用アンテナで受信された放送波の信号をコンバータを介してチューナに伝送する放送波受信用システムにおいて、同軸コネクタとチューナとの接続部分の同軸プラグの中心コンタクトに折損、接触不良等の事故を生じやすいが、これを発見することが困難であるという問題点があった。【解決手段】チューナ側に設けられた同軸コネクタ１０の挿入孔１４内に互いに離間して対の接触子１５ａ、１５ｂを設け、同軸コンタクト２１が挿入孔１４に挿入されて夫々の接触子１５ａ、１５ｂに接触し、チューナ２側から一方の接触子１５ａを介してコンバータ６に電源電圧を供給すると共に、他方の接触子１５ｂに電源電圧が印加されているか否かを判別回路９により検知して中心コンタクト２１が折損されていることなく正常に接触子１５ａ、１５ｂに接続されていることを判別することにより問題点を解決する。【選択図】      図１
2004328323.tif 000002
【特許請求の範囲】
【請求項１】
放送波の受信用アンテナのコンバータとチューナとの間を同軸ケーブルで接続して当該チューナ側から当該コンバータに電源電圧を供給し、当該受信用アンテナで受信された放送波の信号を当該コンバータを介して当該チューナに伝送する放送波受信用システムにおいて、
前記同軸ケーブルの端に設けられ、その芯線に接続されている中心コンタクトを有する同軸プラグと、
前記中心コンタクトが挿入される挿入孔内に互いに離間して配され、挿入された当該中心コンタクトを介して接続される対で設けられた接触子を有する前記チューナ側の同軸コネクタと、
前記同軸プラグと前記同軸コネクタとの結合状態において前記チューナから前記一方の接触子を介して前記コンバータに供給される電源電圧が前記中心コンタクトを介して前記他方の接触子に印加されていることの有無を判別する判別回路と、
前記判別回路の出力側に接続され当該判別回路の出力信号に基づき前記コンバータへの電源電圧の供給状態を表示する表示部とを
備えてなることを特徴とする放送波受信用システム。
【請求項２】
放送波の受信用アンテナのコンバータとチューナとの間を同軸ケーブルで接続して当該チューナ側から当該コンバータに電源電圧を供給し、当該受信用アンテナで受信された放送波の信号を当該コンバータを介して当該チューナに伝送する放送波受信用システムにおいて、
前記同軸ケーブルの端に設けられ、その芯線に接続されている中心コンタクトを有する同軸プラグと、
前記中心コンタクトが挿入される挿入孔内に互いに離間して配され、挿入された当該中心コンタクトを介して接続される対で設けられた接触子を有する前記チューナ側の同軸コネクタと、
前記同軸プラグと前記同軸コネクタとの結合状態において前記チューナから前記一方の接触子を介して前記コンバータに供給される電源電圧が前記中心コンタクトを介して前記他方の接触子に印加されていることの有無を判別する判別回路とを
備えてなることを特徴とする放送波受信用システム。
【請求項３】
放送波の受信用アンテナのコンバータと複数のチューナとの間を分配器を介して同軸ケーブルで接続し、当該チューナ側から当該コンバータに電源電圧を供給し、当該受信用アンテナで受信された放送波の信号を当該コンバータを介して当該複数のチューナに伝送し、当該複数のチューナから供給される電源電圧の値が予め既定された互いに異なるものである放送波受信用システムにおいて、
前記同軸ケーブルの夫々の端に設けられ、その芯線に接続されている中心コンタクトを有する同軸プラグと、
前記中心コンタクトが挿入される挿入孔内に互いに離間して配され、挿入された当該中心コンタクトを介して接続される対で設けられ一方が他方より短い接触子を有する前記チューナ側の同軸コネクタと、
前記同軸プラグと前記コネクタとの結合状態において、既に前記他のチューナから前記一方に接触子を介して前記コンバータに供給されている電源電圧として予め規定された値以上の高電圧が前記中心コンタクトを介して前記他方の接触子に印加されていることを判別し、当該チューナへの当該高電圧の電源電圧の供給を防護する判別制御回路とを
備えてなることを特徴とする放送波受信用システム。
【発明の詳細な説明】
【０００１】
【発明の属する技術分野】
本発明は、放送波の受信用アンテナのコンバータとチューナとの間を同軸ケーブルで接続してチューナ側からコンバータに電源電圧を供給し、受信用アンテナで受信された放送波の信号をコンバータを介してチューナに供給する放送波受信用システムに関するものである。
【０００２】
【従来の技術】
従来、この種の放送波受信用システムは、例えば、ＢＳ（Ｂｒｏａｄｃａｓｔｉｎｇ  ｓａｔｅｌｌｉｔｅ）放送、ＣＳ（Ｃｏｍｍｕｎｉｃａｔｉｏｎ  ｓａｔｅｌｌｉｔｅ）放送のように超高周波の放送波を受信用アンテナで受信し、その受信波をコンバータで周波数逓減し同軸ケーブルを介してチューナ側に供給するようになっている。即ち、受信用アンテナから離れて位置する受信装置のチューナに対し受信された信号を同軸ケーブルで良好に伝送するため、受信波はコンバータで周波数逓減している。そして、コンバータは、電源電圧を要するためにチューナ側から同軸ケーブルの芯線を用いて電源電圧を供給を受けている。この電源電圧の供給に当たっては、受信信号と芯線を共用するが受信信号が高周波であるため相互干渉を生じることがない。
【０００３】
このように、同軸ケーブルにおいて放送波の受信と電源供給とを共用しているが、同軸ケーブルで２つの機能を果たすということは、例えば下記の特許文献１、特許文献２で示す技術がある。これは、同軸コネクタと同軸プラグとの接続と共に、常閉接点を開成するという２つの機能を有するものである。
【０００４】
【特許文献１】
特開平１１−１５４５６９号公報
【特許文献２】
特開平１１−１８５８８９号公報
【０００５】
【発明が解決しようとする課題】
しかしながら、上述した従来の技術においては、同軸ケーブルの端に設けられた同軸プラグの芯線プラグが折れてしまう事故が多発しやすい。これは、同軸プラグと同軸コネクタが小型化にされているので中心コンタクトが細線で形成され、その挿入孔も小径となっているため、折れやすい。また、折れないまでも不用意に曲がってしまうことが多い。
【０００６】
このように芯線が折れたり曲がったりして、接触不良を生じるとチューナ側からのコンバータへの電源電圧供給がなされなくなり受信が不可能になってしまう。このように同軸プラグ内に原因があって生ずる事故は、ユーザにとっては発見することが不可能に近い。受信不良の原因は、受信装置の回路上の事故、電源回路の事故及び受信アンテナ部分の事故等というようの多くの原因が予想されるので同軸プラグ内の中心コンタクトの不具合を発見することは極めて困難なことである。
【０００７】
そこで、本発明は、上記の問題点に鑑みなされたものであり、同軸ケーブルの中心コンタクトに電源電圧が印加されているか否かの判別を行うことにより、コンバータへの電源供給状況を判別し、従来の問題点を解決した放送波受信用システムを提供することを目的とする。
【０００８】
【課題を解決するための手段】
上記目的を達成するため、本発明の請求項１による放送波受信用システムは、放送波の受信用アンテナのコンバータとチューナとの間を同軸ケーブルで接続して当該チューナ側から当該コンバータに電源電圧を供給し、当該受信用アンテナで受信された放送波の信号を当該コンバータを介して当該チューナに伝送する放送波受信用システムにおいて、前記同軸ケーブルの端に設けられ、その芯線に接続されている中心コンタクト（例えば、中心コンタクト２１）を有する同軸プラグと、前記中心コンタクトが挿入される挿入孔内に互いに離間して配され、挿入された当該中心コンタクトによって接続される対で設けられた接触子（例えば、接触１５ａ、１５ｂ）を有する前記チューナ側の同軸コネクタと、前記同軸プラグと前記同軸コネクタとの結合状態において前記チューナから前記一方の接触子を介して前記コンバータに供給される電源電圧が前記中心コンタクトを介して前記他方の接触子に印加されていることの有無を判別する判別回路（例えば、判別回路９）と、前記判別回路の出力側に接続され当該判別回路の出力信号に基づき前記コンバータへの電源電圧の供給状態を表示する表示部（例えば、ディスプレイ４）とを備えてなるので、前記同軸ケーブルに接続された同軸プラグと前記チューナ側に設けられた同軸コネクタとを結合すると、前記コンバータのための電源電圧が前記中心コンタクトに供給されているか否かを前記接触子に接続した判別回路で判別し、この判別結果を表示するため、前記中心コンタクトの折損、接触不良等を簡単な構成で確実に認識できる効果を有する。
【０００９】
また、本発明の請求項２による放送波受信用システムによれば、放送波の受信用アンテナのコンバータとチューナとの間を同軸ケーブルで接続して当該チューナ側から当該コンバータに電源電圧を供給し、当該受信用アンテナで受信された放送波の信号を当該コンバータを介して当該チューナに伝送する放送波受信用システムにおいて、前記同軸ケーブルの端に設けられ、その芯線に接続されている中心コンタクト（例えば、中心コンタクト２１）を有する同軸プラグと、前記中心コンタクトが挿入される挿入孔内に互いに離間して配され、挿入された当該中心コンタクトによって接続される対で設けられた接触子（例えば接触子１５ａ、１５ｂ）を有する前記チューナ側の同軸コネクタと、前記同軸プラグと前記同軸コネクタとの結合状態において前記チューナから前記一方の接触子を介して前記コンバータに供給される電源電圧が前記中心コンタクトを介して前記他方の接触子に印加されていることの有無を判別する判別回路（例えば、判別回路９）とを備えてなるので、前記同軸ケーブルに接続された同軸プラグと前記チューナ側に設けられた同軸コネクタとを結合すると、前記コンバータのための電源電圧が前記中心コンタクトに供給されているか否かを前記接触子に接続した判別回路で判別できるため、前記中心コンタクトの折れ、接触不良等の不具合によって生じる障害を除去することが簡単な構成で確実にできる効果を有する。
【００１０】
更に、本発明の請求項３による放送波受信用システムによれば、放送波の受信用アンテナのコンバータと複数のチューナとの間を分配器を介して同軸ケーブルで接続し、当該チューナ側から当該コンバータに電源電圧を供給し、当該受信用アンテナで受信された放送波の信号を当該コンバータを介して当該複数のチューナに伝送し、当該複数のチューナから供給される電源電圧の値が予め既定された互いに異なるものである放送波受信用システムにおいて、前記同軸ケーブルの夫々の端に設けられ、その芯線に接続された中心コンタクト（例えば、中心コンタクト２１）とを有する同軸プラグと、前記中心コンタクトが挿入される挿入孔内に互いに離間して配され、挿入された当該中心コンタクトによって接続される対で設けられた一方が他方より短い接触子（例えば、一方に接触子１５ａ）を有する前記チューナ側の同軸コネクタと、前記同軸プラグと前記コネクタとの結合状態において、既に前記他のチューナから前記一方に接触子を介して前記コンバータに供給されている電源電圧として予め規定された値以上の高電圧が前記中心コンタクトを介して前記他方の接触子（例えば、他方の接触子１５ｂ）に印加されていることを判別し、当該チューナへの当該高電圧の電源電圧の供給を防護する判別制御回路（例えば、第１の判別制御回路２７ｘ第２の判別制御回路２７ｙ及び第３の判別制御回路２７ｚ）とを備えてなるので、前記コンバータに分配器を介して互いに異なる電源電圧を供給する前記複数のチューナにおいて、規定されている電源電圧が低いチューナを後から接続する際に、まず高電圧が既に供給されていることを判別し、後から接続するチューナに前記コンバータから高電圧が供給されることを遮断するように制御するため、電源電圧の規定値が低いチューナに高電圧が印加され破損するという事故を確実に防止できる効果が得られる。
【００１１】
【発明の実施の形態】
以下、本発明の実施の形態について図面を参照しながら説明する。図１は本発明の実施の形態の第１の実施例における放送波受信用システムの概要を示すブロック図、図２はその要部における同軸プラグと同軸コネクタの非結合状態を示す説明図、図３、図４は同じくその要部における同軸プラグと同軸コネクタとの結合状態を示す説明図である。
【００１２】
図１において、１はＢＳ放送、ＣＳ放送の受信装置であり、チューナ２、復調部３、ディスプレイ４から構成されている。５は受信用アンテナ、６は受信用アンテナ５側に設けられたコンバータ、７はチューナ２とコンバータ６との間を接続する同軸ケーブルである。受信用アンテナ５で受信されたＢＳ放送波、ＣＳ放送波は超高周波であるため、コンバータ６において同軸ケーブル７で伝送するのに適した周波数まで逓減するようになっている。そして、コンバータ６は電源電圧を必要とするため、受信装置１側から同軸ケーブル７を用いて電源電圧を供給するようになっている。この電源電圧は受信装置１に設けられた電源回路８からＤＣ／ＤＣコンバータ９により、例えば直流の１５Ｖを得て、チューナ２から同軸ケーブル７を介してコンバータ６に供給されるようになっている。
【００１３】
同軸ケーブル７の芯線には、コンバータ６から得られた高周波の信号と直流の電源電圧とが重畳されるが、これらは高周波信号と直流電圧というように本質的にことなるため相互に干渉をすることがない。
【００１４】
図２、図３において、同軸ケーブル７の受信装置１への接続部分を示す。１０はチューナ１の枠体に取り付けられた同軸コネクタ、１１は同軸ケーブル７の端に取り付けられた同軸プラグであり、この同軸プラグ１１は同軸コネクタ１０に結合され、受信用アンテナ５で受信されてコンバータ６で周波数逓減された高周波信号が同軸ケーブル７を伝送され、同軸プラグ１１、同軸コネクタ１０を介してチューナ２に供給されるようになっている。
【００１５】
同軸コネクタ１０は導電性金属材からなるアース用のコネクタ側外筒１２を有し、その中に絶縁性樹脂層１３からなる挿入孔１４が形成されている。この挿入孔１４内の中心には、一対の導電性材からなり互いに離間されて配された接触子１５ａ、１５ｂが設けられている。これら接触子１５ａ、１５ｂは、チューナ２の基板１６まで延びており基板１６上の所定の回路端子に接続されている。一方の接触子１５ａはチューナ２の入力に接続されているが、同時に図１で示すようにチューナ２を介してＤＣ／ＤＣコンバータ９から直流１５Ｖの電源電圧が印加されるようになっている。他方の接触子１５ｂは３，３Ｖ又は５Ｖに分圧する分圧回路１７を介して電源電圧の有無を判別するＣＰＵからなる判別回路１８が接続されている。この判別回路１８の出力側には表示用データ形成回路１９が接続され、判別回路１８で電源電圧無しの判別がなされるとその旨を表示する画像データを生成する。そして、表示用データ生成回路１９の出力は表示部であるディスプレイ４に供給するように接続されている。
【００１６】
同軸プラグ１１は、コネクタ側外筒１２が嵌合する導電性金属材からなるアース用のプラグ側外筒２０を有し、このプラグ側外筒２０と同軸ケーブル７の外部導体７ａとが接続されている。またプラグ側外筒２０内の中心には、同軸ケーブル７の芯線７ｂに接続された中心コンタクト２１が設けられている。図３で示すように同軸プラグ１１が同軸コネクタ１０に結合された状態において、中心コンタクト２１は挿入孔１４内に挿入され一方の接触子１５ａと他方の接触子１５ｂとの間を接続するようになっている。
【００１７】
上述した構成によれば、ＤＣ／ＤＣコンバータ９で得られた電源電圧は同軸プラグ１１の同軸コネクタ１０への結合状態において、一方の接触子１５ａ、中心コンタクト２１、同軸ケーブル７の芯線７ｂを通して受信用アンテナ５側に設けられたコンバータ６に供給される。一方、受信用アンテナ５で受信された放送波はコンバータ６で周波数逓減され、同軸ケーブル７の芯線７ｂ、中心コンタクト２１、一方に接触子１５ａを通してチューナ２に伝送される。チューナ２において、所定のチャンネルを選択して復調部３で復調し、ディスプレイ４で画像表示を行う。
【００１８】
このように放送波受信システムが正常に作動している場合は問題にならないが、図４で示すように中心コンタクト２１が折損し、一方の接触子１５ａとの接続がなされないと受信された放送波がチューナ２に伝送されなくなる。そのため、放送波の画像をディスプレイ４で表示することができない。
【００１９】
この状態では、中心コンタクト２１と他方の接触子１５ｂとが接触されていないので、他方の接触子１５ｂには電源電圧が印加されていない。判別回路１８は受信装置１が受信状態に設定されることによりＤＣ／ＤＣコンバータから同軸コネクタ７側に電源電圧を供給していることを判別の前提条件として、他方の接触子１５ｂに電源電圧が印加されている状態を正常とし、印加されていない状態を異常として判別する。この異常の判別出力で表示用データ生成回路１９はその旨の画像データを生成してディスプレイ４に供給してその旨の表示を行う。
【００２０】
このように本発明の実施の形態の第１の実施例によれば、中心コンタクト２１が折損し、一方の接触子１５ａと接続されていないことが原因で放送波がチューナ２に伝送されない場合は、他方の接触子１５ｂに電源電圧が印加されないことを判別回路１８で検出することにより判別し、その旨をディスプレイ４で表示する。そのため、ユーザは事故の原因を直ちに知ることができる。放送波の映像がディスプレイ４で表示されないという現象からその原因を探り出すことは、受信装置１の回路、受信用アンテナ５等とシステム全般に亘って検討しなければならない。一方、チューナ２と同軸ケーブル７との間での中心コンタクト２１の損障事故は、頻繁に接続を繰り返すので多発し易い。従って、ユーザにとっては、放送波受信用システム全体の故障原因を発見することにとって好都合な表示手段である。
【００２１】
尚、上述の構成において、判別回路１８を受信装置１の既存のＣＰＵを利用する場合は、受信開始時点で判別動作を行いその結果を得た後は判別動作の機能をリセットするようにしてもよい。このようにして、判別動作の処理がＣＰＵによる受信動作本来の演算処理に対し負荷とならないようにする。また、高周波が重畳された直流電圧がＣＰＵに印加されているとノイズの発生の原因となるが、これを防止できる。勿論、内蔵されたタイマーにより一定間隔で定期的に判別動作を行うようにすることも可能である。
【００２２】
次に、本発明の実施の形態における第２の実施例ついて説明するが、図５は第２の実施例における放送波受信システムの概要を示すブロック図、図６はその要部における同軸プラグと同軸コネクタとの結合状態を示す説明図である。
【００２３】
この第２の実施例は、第１の受信装置２２ｘにおける第１のチューナ２３ｘがＢＳ／ＣＳ用、第２の受信装置２２ｙにおける第２のチューナ２３ｙがＢＳ用、第３の受信装置２２ｚにおける第３のチューナ２３ｚがＣＳ用というように複数のものが受信用アンテナ５を共用したものである。従って、分配器２４を用い、受信用アンテナ５と分配器２４との間を単一の同軸ケーブル２５で結び、分配器２４と第１のチューナ２３ｘとを第１の同軸ケーブル２６ｘで結び、分配器２４と第２のチューナ２３ｙとを第２の同軸ケーブル２６ｙで結び、分配器２４と第３のチューナ２３ｚとを第３の同軸ケーブル２６ｚで結んでいる。そして、第１の受信装置２２ｘ、第２の受信装置２２ｙ及び第３の受信装置２２ｚの回路構成は、第１の判別制御回路２７ｘ、第２の判別制御回路２７ｙ及び第３の判別制御回路２７ｚを有する以外は前述した本発明の第１の実施例と同一である。従って、同一部分は同一符号を付して説明を省略する。
【００２４】
図６において、第１の同軸ケーブル２６ｘの第１のチューナ２３ｘへの接続部分、第２の同軸ケーブル２６ｙの第２のチューナ２３ｙへの接続部分及び第３の同軸ケーブル２６ｚの第３のチューナ２３ｚへの接続部分である同軸コネクタ１０、同軸プラグ１１部分を説明する。受信用アンテナ５で受信されコンバータ６で周波数逓減された高周波信号は、同軸ケーブル２５を通し分配器２４で第１の同軸ケーブル２６ｘから同軸プラグ１１、同軸コネクタ１０を介して第１の受信装置２２ｘに、第２の同軸ケーブル２５ｙから同軸プラグ１１、同軸コネクタ１０を介して第２の受信装置２２ｙに、第３の同軸ケーブル２５ｚから同軸プラグ１１、同軸コネクタ１０を介して第２の受信装置２２ｚに分配して供給されるようになっている。
【００２５】
同軸コネクタ１０は、コネクタ側外筒１２の中に絶縁性樹脂層１３からなる挿入孔１４が形成され、この挿入孔１４内の中心には一対の導電性材からなり互いに離間されて配された接触子２８ａ、２８ｂが設けられて構成されている。そして、一方の接触子２８ａは他方の接触子２８ｂに比し短くなっている。この一方の接触子２８ａと他方の接触子２８ｂは、第１のチューナ２３ｘ、第２のチュ−ナ２３ｙ及び第３のチューナ２３ｚの基板１６まで延びており基板１６上の所定の回路端子に接続されている。一方の接触子２８ａは、第１のチューナ２３ｘ、第２のチューナ２３ｙ、第３のチューナ２３ｚの入力側に接続されているが、図５で示すように、同時に夫々ＤＣ／ＤＣコンバータ９から電源電圧が印加されるようになっている。他方の接触子２８ｂは分圧回路１７を介して電源電圧の有無を判別するＣＰＵからなる第１の判別制御回路２７ｘ、第２の判別制御回路２７ｙ及び第３の判別制御回路２７ｚが接続されている。この第１の判別制御回路２７ｘ、第２の判別制御回路２７ｙ及び第３の判別制御回路２７ｚの出力側には画像データ形成回路１９を介してディスプレイ４が接続されている。また、第１の判別制御回路２７ｘ、第２の判別制御回路２７ｙ及び第３の判別制御回路２７ｚの出力は夫々に対応した第１のチューナ２３ｘ、第２のチューナ２３ｙ及び第３のチューナ２３ｚの防護機能のために供給されるようになっている。この防護機能は、例えば、第３の受信装置２２ｚはコンバータ６へ供給する電源電圧が直流の１１Ｖと規定されているものであって、他の受信装置から供給された直流の１５Ｖの電圧が一方の接触子２８ａから第３のチューナ２３ｚの入力に印加されることを遮断するものである。
【００２６】
同軸プラグ１１は、前述した本発明の第１の実施例と同一の構成を有したものであり、同軸プラグ１１が同軸コネクタ１０に結合された状態において、中心コンタクト２１は挿入孔１４内に挿入され一方の接触子２８ａと他方の接触子２８ｂとの間を接続するようになっている。
【００２７】
上述した本発明の第２の実施例における構成によれば、例えば、第１のチューナ２３ｘ、第２のチューナ２３ｙが同軸コネクタ１０と同軸プラグ１１との結合状態にあってコンバータ６に直流１５Ｖの電源電圧を供給している状態で、後から電源電圧が直流の１１Ｖを供給するチューナ２３ｚの同軸コネクタ１０に同軸プラグ１１の結合をすると、電源電圧１５Ｖが印加されている中心コンタクト２１がまず他方の接触子２８ｂに接触する。
【００２８】
そのため、第３の判別回路２７ｚは規定以上の高電圧である１５Ｖが供給されることを判別し、直ちに、第３のチューナ２３ｚに対し一方の接触子２８ａから電源電圧が供給されることを遮断する第３のチューナ２３ｚ内の防護機能を作動させる。その後、中心コンタクト２１が短い一方の接触子２８ａに接触した段階では、この１５Ｖの電圧は第３のチューナ２３ｚには印加されない。従って、第３のチューナ２３ｚは過大な電圧が印加されて回路を損傷してしまうことがない。
【００２９】
同時に、第３の判別回路２７ｚの出力によって、過大な直流電圧が供給されたことを表示する画像データを表示用データ生成回路１９で生成し、その旨をディスプレイ４で表示しユーザに知らしめる。
【００３０】
このように過大な電源電圧の供給状態とは反対に、コンバータ６の規定の電源電圧は１１Ｖである場合であって、この規定電圧１１Ｖが既に、例えば、第３のチューナ２３ｚから供給済みの状態において、後から電源電圧１５Ｖの第１のチューナ２３ｘを接続することがある。この場合は、第１のチューナ２３ｘの同軸コネクタ１０に同軸プラグ１１を結合すると、電源電圧１１Ｖが印加されている中心コンタクト２１が先に他方の接触子２８ｂに接触する。そのため、第１の判別制御回路２７ｘが規定値以下の低電圧が印加されていることを判別し、直ちにその旨表示すると共に、１５Ｖの直流電圧の供給を遮断し、コンバータ６、第３のチューナ２３ｚへの過大な直流電圧の印加を妨げて回路の破損を防止する。
【００３１】
また、中心コンタクト２１が折損し、一方の接触子１５ａとの接続がなされないと受信された放送波が第１のチューナ２３ｘ、第２のチューナ２３ｙ及び第３のチューナ２３ｚに伝送されなくなる。そのため、放送波の画像をディスプレイ４で表示することができない。
【００３２】
この状態では、中心コンタクト２１と他方の接触子１５ｂとが接触されていないので、他方の接触子１５ｂには電源電圧が印加されていない。そこで、第１の判別制御回路２７ｘ、第２の判別制御回路２７ｙ及び第３の判別制御回路２７ｚは第１の受信装置２２ｘ、第２の受信装置２２ｙ及び第３の受信装置２２ｚが受信状態に設定されることによりＤＣ／ＤＣコンバータ９から同軸コネクタ１０側に電源電圧を供給していることを判別の前提条件として、他方の接触子１５ｂに電源電圧が印加されている状態を正常とし、印加されていない状態を異常として判別し、この異常の判別出力でディスプレイ４上にその旨の表示を行うこともできる。
【００３３】
更に、本発明の実施の形態の第３の実施例について、図７に示すブロック図に基づき説明するが、第１の実施例、第２の実施例と同一部分は同一符号を付してその説明を省略する。
【００３４】
この第３の実施例は、前述した第２の実施例のように第１の受信装置２２ｘ，第２の受信装置２２ｙ及び第３の受信装置２２ｚに共通の受信用アンテナ５から受信された放送波を分配器２４で分配して伝送するものである。同軸コネクタ１０は、前述した第１の実施例で示すように同一長の接触子１５ａ、１５ｂを適用したものである。
【００３５】
この構成によると、例えば、第２の受信装置２２ｙの同軸プラグ１１において中心コンタクト２１に折損事故が発生した場合、中心コンタクト２１は接触子１５ａ、１５ｂに接触されない。しかし、中心コンタクト２１と一方の接触子１５ａとのギャップ幅が狭いと放送波の信号はその間を飛び越してチューナ２３ｂに到達する。そのため、ディスプレイ４上には正常に画像表示がなされる。しかし、第２の判別回路２２ｙにおいて電源電圧が印加されていないことが判別され、その旨の表示画像データを表示用データ生成回路１９で生成し、ディスプレイ４上に表示ずる。従って、ユーザは第２の受信装置２２ｙの同軸プラグ１１の中心コンタクト２１に折損事故が発生していることを認識できる。
【００３６】
もし、この判別がなされない従来のシステムであると、コンバータ６には例えば、第１の受信装置２２ｘによる電源電圧の供給がなされており、正常に放送波の画像表示がなされていても、第１の受信装置２２ｘを都合により取り外す必要性から同軸プラグ１１を同軸コネクタ１０から外すとコンバータ６に対する電源電圧の供給が停止してしまう。そのため、コンバータ６は作動しなくなり自動的に第２の受信装置２２ｙにおける画像表示が停止してしまう。このように突然に画像表示が停止する現象に対する原因を見出すことは極めて難しい。
【００３７】
即ち、上述した本発明の第３の実施例によれば、予めディスプレイ４上に中心コンタクト２１に折損事故等があることを表示するので、ユーザは何ら迷うことなく修理等の対応がとれる。
【００３８】
尚、本発明の実施の形態の夫々の実施例では、折損事故等による接触不良をディスプレイ上で表示するようにしたが、この表示は表示用ランプによる表示等というように他の方法をとることもできる。
【００３９】
尚又、本発明の放送波受信用システムは、複数のチューナに単一のディスプレイを組み合わせたシステムで、チューナを選択して受信された放送波をディスプレイ上で画像表示するようなものであってもよい。
【００４０】
尚更に、本発明の判別回路１８、表示用データ形成回路１９等の各回路は、受信装置の各種の演算処理、画像表示データの生成のために既存する回路にその機能を付加するようにしてもよい等、回路構成を種々変更することができることは勿論である。
【００４１】
【発明の効果】
以上説明したように、本発明の請求項１による放送波受信用システムによれば、
コンバータに連なる同軸ケーブルに接続された同軸プラグとチューナ側に設けられた同軸コネクタとを結合すると、コンバータのための電源電圧が中心コンタクトに供給されているか否かを接触子に接続した判別回路で判別し、この判別結果を表示するため、中心コンタクトの折損、接触不良等を簡単な構成で確実に認識できる効果が得られる。
【００４２】
また、本発明の請求項２による放送波受信用システムによれば、コンバータに連なる同軸ケーブルに接続された同軸プラグとチューナ側に設けられた同軸コネクタとを結合すると、コンバータのための電源電圧が中心コンタクトに供給されているか否かを接触子に接続した判別回路で中心コンタクトの折損、接触不良等を簡単な構成で確実に判別できる効果が得られる。
【００４３】
更に、本発明の請求項３による放送波受信用システムによれば、コンバータに分配器を介して互いに異なる電源電圧を供給する複数のチューナにおいて、規定されている電源電圧が低いチューナを後から接続する際に、まず高電圧が既に供給されていることを判別し、後から接続するチューナにコンバータから高電圧が供給されることを遮断するように制御するため、電源電圧の規定値が低いチューナに高電圧が印加され破損するという事故を確実に防止できる効果が得られる。
【図面の簡単な説明】
【図１】本発明の実施の形態の第１の実施例における放送波受信用システムの概要を示すブロック図である。
【図２】本発明の実施の形態の第１の実施例における要部の同軸プラグと同軸コネクタの非結合状態を示す説明図である。
【図３】本発明の実施の形態の第１の実施例における要部の同軸プラグと同軸コネクタの結合状態を示す説明図である。
【図４】本発明の実施の形態の第１の実施例における要部の折損を生じた同軸プラグと同軸コネクタとの結合状態を示す説明図である。
【図５】本発明の実施の形態の第２の実施例における放送波受信用システムの概要を示すブロック図である。
【図６】本発明の実施の形態の第２の実施例における要部の同軸プラグと同軸コネクタの非結合状態を示す説明図である。
【図７】本発明の実施の形態の第３の実施例における放送波受信用システムの概要を示すブロック図である。
【符号の説明】
１        受信装置
２        チューナ
４        ディスプレイ
５        受信用アンテナ
６        コンバータ
７        同軸ケーブル
９        ＤＣ／ＤＣコンバータ
１０        同軸コネクタ
１１        同軸プラグ
１４        挿入孔
１５ａ      一方の接触子
１５ｂ      他方の接触子
１６        基板
１８        判別回路
１９        表示用データ形成回路
２１        芯線コンタクト
２２ｘ      第１の受信装置
２２ｙ      第２の受信装置
２２ｚ      第３の受信装置
２３ｘ      第１のチューナ
２３ｙ      第２のチューナ
２３ｚ      第３のチューナ
２４        分配器
２７ｘ      第１の判別制御回路
２７ｙ      第２の判別制御回路
２７ｚ      第３の判別制御回路
２８ａ      一方の接触子
２８ｂ      他方の接触子
【図１】
2004328323.tif 000003
【図２】
2004328323.tif 000004
【図３】
2004328323.tif 000005
【図４】
2004328323.tif 000006
【図５】
2004328323.tif 000007
【図６】
2004328323.tif 000008
【図７】
2004328323.tif 000009